(57)【特許請求の範囲】
【請求項１】
２つの端部と２つの側部とを有する本体を含むブレスレットの留め具において、本体の側部のうち一方の側部は、ブレスレットの端部のうち一方の端部に固定され又はこれと一体であり、他方の側部はブレスレットの他端部の結合部材と協働する保持要素を有しており、更に、留め具の本体に関節連結されていて、本体及びブレスレットの軸線に対して横方向に留め具の本体に対して動くことができ且つブレスレットの軸線に平行な関節連結の軸線の回りに回動できるようになったカバーを有しており、また、本体は、時計ケースを受け入れるように構成され、そのカバーは、前記時計の文字盤を露出させる開口部を有していることを特徴とする留め具。
【請求項２】
留め具のカバーは、ピボットねじを備え、ピボットねじの頭部は、留め具の本体に設けられたスロットと協働し、これらピボットねじは、留め具の本体に設けられていて、留め具の外方にピボットねじを動かそうとする弾性装置の作用を受けることを特徴とする請求項１記載の留め具。
【請求項３】
各弾性装置は、横方向穴に設けられたプッシャ及びばねを有し、本体の横方向穴にねじ込まれて、ピボットねじに加わるプッシャの圧力を調節できるねじを更に有していることを特徴とする請求項２記載の留め具。
【請求項４】
ピボットねじと反対側のカバーの縁部は、カバーを閉鎖位置で本体に取り付けたままにするよう留め具本体の縁部と協働する突出部を有していることを特徴とする請求項２又は３記載の留め具。
【請求項５】
カバーは、留め具の本体に取り付けられたカバーの閉鎖位置において、ブレスレットの自由端部のところに位置している結合部材と協働してブレスレットを留め具に係止する係止リブを有していることを特徴とする請求項４記載の留め具。
【請求項６】
カバーを開けるためには、前記本体を先ず最初に横方向に移動させて保持突出部を解除し、次にこれをピボットねじによって形成された関節連結の軸線の回りに弾性装置によりこれらピボットねじに加えられた摩擦表面に抗して回す必要があることを特徴とする請求項１〜５のうちいずれか一に記載の留め具。
【発明の詳細な説明】
【０００１】
本発明の属する技術分野は、ブレスレット用のいわゆる「シークレットクラスプ」と呼ばれる留め具であり、特に、ブレスレットが例えば装身具用のものであれ時計ブレスレットであれいずれにせよ、硬くて曲がらないブレスレットのための留め具に関する。
【０００２】
本発明に係る留め具は、その名称が示すように、不用意に開かない或る種のクロージャとしての役目を果たしながら、そのままの状態ではブレスレットの一要素として一体化されたような極めて見えにくいものでなければならない。
【０００３】
フランス国特許第９３５，４３５号から、自由に曲げられ又は関節式のブレスレット用留め具が知られており、この留め具は、ベースプレートを有し、このベースプレートには、ブレスレットの両端部のうち一方の端部が恒久的に固定され、レセプタの他端部がフックの利用により着脱自在に固定できる。カバーがこのベースプレートに関節連結されていて、このカバーは使用位置ではフックを覆い、しかもブレスレットが開くのを防止する。
【０００４】
かかる留め具は、十分な安全性を備えておらず、ベースプレートのカバーの係止が出たとこ勝負の感があり、さらに以上にもまして、一見したところでは留め具とはすぐには分かるのでシークレットクラスプになっていないという欠点がある。本発明の目的は、不用意に又は知らないうちに開かないようにする硬くて曲がらないブレスレット用のシークレットクラスプ、それゆえに殆ど見た目にそれとは分からない留め具を提供することにある。
【０００５】
本発明の硬くて曲がらないブレスレット用シークレットクラスプの新規な特徴は、請求項１の特徴記載部分に示されている。
【０００６】
添付の図面は、時計のブレスレットに用いられた本発明のシークレットクラスプの実施形態を概略的且つ例示として示している。
【０００７】
次に、図１〜図５を参照して、本発明のシークレットクラスプ（「留め具」という場合がある）を備えた硬くて曲がらない時計ブレスレットを例示として説明する。
【０００８】
剛性のブレスレット１は、２つの端部を有し、一方の端部１ａは、シークレットクラスプに剛性的且つ恒久的に固定され、他端部１ｂは、シークレットクラスプの他方の側部に着脱自在に固定されるようになっている。
【０００９】
シークレットクラスプは、本体２及びこの本体２に関節連結されたカバー３を有している。シークレットクラスプの本体２は、この実施形態では、時計のケースを受け入れるよう構成されており、時計ケースの文字盤は、シークレットクラスプのカバー３の開口部を通して見える。
【００１０】
ユーザの手を通すために開放中、広がることができるほどの弾性を有する剛性ブレスレットの端部１ａは、留め具本体２の一方の側部に固定されている。この固定は、図示の実施形態では、２つの位置決めピン４，５及び２本のねじ６で実現される。
【００１１】
剛性ブレスレットの他端部１ｄは、結合部材７を有し、この結合部材は、後で分かるように、シークレットクラスプの他方の側部に一時的に係止できる。
【００１２】
ブレスレット１に剛結された側部とは反対側のシークレットクラスプの本体２の側部は、ブレスレットの閉鎖位置では、結合部材７の下面と協働する係止用突条８を有している。ブレスレットの端部１ｂの上方部分は、結合部材７の後ろに位置していて、シークレットクラスプのカバー３により支持された係止用リブ１０を受け入れるようになった係止溝９を有している。
【００１３】
かくして、ブレスレット１を閉じると、その端部１ｂは、本体２と留め具のカバー３との間に係止された状態に維持される。ブレスレッドを開くためには、留め具のカバー３を開くこと、すなわち、留め具のカバー３をその本体２を中心として回動させることが必要である。
【００１４】
シークレットクラスプのカバー３は、頭部が円筒形の２本のねじ１１がカバー３の２つの反対側の側部にねじ込まれた状態でこのクラスプの本体２を中心として回動され、ねじの頭部は、留め具本体２のスロット１２又は長円形の穴内に収納されている。
【００１５】
これらねじ１１の円筒形の頭部は、これらをクラスプの本体２の横方向縁部のスロット１２の隣接の端部に押し付ける傾向のある弾性作用を受ける。この目的のため、本体は、通路１３を有し、この通路内において、スライドプッシャ１４が、本体２ねじ込まれたねじ１６によりそれ自体位置決めされたばね１５の作用を受ける。
【００１６】
これら弾性装置１３〜１６は、２つの機能を発揮し、第１の機能は、ピボットねじ１１をスロット１２の対応の端部に押し付けた状態に維持することであり、第２の機能は、ねじ１１に或る程度の摩擦力を与えることである。
【００１７】
関節連結部を形成するねじ１１とは反対側のカバー３の縁部には、本体２の縁部１８と協働する保持突出部１７が設けられている。
【００１８】
かくして、留め具の図示の閉鎖位置では、カバーは、この保持突出部及び弾性装置１４〜１６の作用により、ブレスレットの係止位置に維持される。
【００１９】
カバーのこの閉鎖位置では、ブレスレット１の端部１ｂの結合部材７は、留め具の本体２（より詳細には縁部１８）とカバー３（より詳細には、リブ１０）との間に係止される。
【００２０】
ブレスレットを開くためには、クラスプの本体２に対してクラスプのカバー３を意図的に二種類の動きを行わせることが必要である。第１の場合、カバー３を図７に示すその位置から図８に示す位置へ横に押して突出部１１を縁部２から解除し、次に、カバー３を弾性手段１４〜１６によってねじ１１に及ぼされる摩擦力に抗して回動させることが必要である。カバー３をいったん完全に開いた場合にだけ（図１０）、ユーザはブレスレット１の端部１ｂを留め具（２，３）から引き抜いてブレスレットを開くことができ、それにより、ブレスレットが撓むのでユーザは自分の手をブレスレットから抜き出すことができる。
【００２１】
図示の場合、留め具のカバー３は、留め具内に納められた時計が見えるようにするガラス蓋１９を有している。
【００２２】
別の実施形態では、留め具は時計に用いられる必要はなく、留め具のカバー３は中実であり、或いは装飾品に用いられ又は嵌込み宝石を支持するのに役立つことができる。
【００２３】
クラスプの安全性は完全である。というのは、互いに異なる方向への２種類の動作が必要だからであり、即ち、クラスプを開くためにはカバー３を本体２に対して並進させた後、回転させなければならないからである。弾性装置１４〜１６のねじ１１は、カバーのピボットねじ１１に及ぼされる摩擦力を調節することができる。かくして、カバーは、たとえこれを横に動かして突出部１７を解除しても、ユーザの意志で行う場合を除き、斜めに動かすことはできない。
【００２４】
かくして、このシークレットクラスプは安全であり且つ信頼性がある。さらに、シークレットクラスプは、ブレスレット中に組み込まれ、ブレスレットが装身具のプレートブレスレットであれ時計ブレスレットであれ何れにせよ、事実上見えない。
【００２５】
カバー３の回動に対する抵抗を強めるため、ねじ１１の頭部は、クラスプの閉鎖位置において、対応関係にあるプッシャ１４と協働する平坦部を有するのがよい。
【図面の簡単な説明】
【図１】  本発明の留め具を備えた時計ブレスレットの平面図である。
【図２】  図１のＢ−Ｂ線矢視断面図である。
【図３】  図１のＣ−Ｃ線矢視断面図である。
【図４】  図１のＥ−Ｅ線矢視断面図である。
【図５】  図１のＤ−Ｄ線矢視断面図である。
【図６】  ユーザの手首に装着された時計ブレスレットを示す図である。
【図７】  留め具の開放中における留め具の一動作位置を示す図である。
【図８】  留め具の開放中における留め具の別の動作位置を示す図である。
【図９】  留め具の開放中における留め具の別の動作位置を示す図である。
【図１０】  留め具の開放中における留め具の別の動作位置を示す図である。
【図１】
0003657882.tif 000002
【図２】
0003657882.tif 000003
【図３】
0003657882.tif 000004
【図４】
0003657882.tif 000005
【図５】
0003657882.tif 000006
【図６】
0003657882.tif 000007
【図７】
0003657882.tif 000008
【図８】
0003657882.tif 000009
【図９】
0003657882.tif 000010
【図１０】
0003657882.tif 000011